(57)【要約】【課題】  片手の指で外針ハブや内針ハブを押したり引いたりしやすい留置針及びカテーテル用内針を提供する。【解決手段】本発明の留置針は外針ハブの両端近くに突起を有する。【選択図】      図１
2005080962.tif 000002
【特許請求の範囲】
【請求項１】
外針ハブの両端近くに突起を有することを特徴とする留置針。
【請求項２】
外針ハブの中央近くの断面寸法が端の断面寸法に比べて小さい留置針。
【請求項３】
内針ハブの両端近くに突起を有することを特徴とするカテーテル内針。
【請求項４】
内針ハブの中央近くの断面寸法が端の断面寸法に比べて小さいカテーテル内針。
【発明の詳細な説明】
【技術分野】
【０００１】
本発明は医療用または動物治療用の留置針（あるいはカテーテル用外針）及びカテーテル用内針に関する。
【背景技術】
【０００２】
図５は従来のカテーテルの構造を示す組立図である。この従来のカテーテルは留置針１（あるいはカテーテル用外針）とカテーテル用内針２とからなる。
【０００３】
留置針１は硬質樹脂で形成された筒状の外針ハブ１１と、この外針ハブ１１の一端に嵌合接続される軟質樹脂製の外針１２と、外針ハブ１１の内部に嵌入されて、外針ハブ１１と外針１２との嵌合接続部を気密且つ液密に結合維持するための金属製のカシメキャップ１３とからなる。外針ハブ１１は透明であっても半透明であっても不透明であってもよいし、色付きであっても無色であってもよい。外針１２は先端面が中心線に対し垂直であり、可撓性である。
【０００４】
カテーテル用内針２は透明硬質樹脂で形成された筒状の内針ハブ２１と、この内針ハブ２１の一端に嵌合接続される金属製の内針２２とからなる。内針２２の先端面は中心線に対し斜めになっており、尖っている。
【０００５】
そして、カテーテルを患者等の皮膚に刺し込み使用する場合には、次の手順にしたがって行う。留置針１の外針１２は可撓性であるので、留置針１を単独で皮膚に刺し静脈血管の中に挿入することは不可能である。そこで、カテーテル用内針１１を留置針１の外針１１１の中へ挿通して外針１１１の変形を規制する。同時にカテーテル用内針２の内針２２の先端を外針１２の先端より突き出して、内針２２の先端を皮膚に刺し、さらに押し込むと、留置針１の外針１２が皮膚を通って、静脈血管の中へ到達する。その後に、カテーテル用内針２のみを引き抜き、留置針１を皮膚内に挿入した状態に保つ。続いて、外針ハブ１１の後端に不図示の点滴チューブを接続し、患者等の静脈血管の中に点滴液や輸血液などを注入するものである。もちろん、この時、点滴チューブの他端は点滴液バッグや輸血バッグに接続されている。
【特許文献１】特開２００１−１７０１８２
【発明の開示】
【発明が解決しようとする課題】
【０００６】
留置針１の中にカテーテル用内針２を挿入し組み合わせたカテーテルを皮膚に刺し込むために、医療従事者あるいは患者本人は、外針ハブ１１あるいは内針ハブ２１を片手の指で押す。また、カテーテル用内針２を引き抜くために、内針ハブ２１を片手の指で引く。
【０００７】
しかしながら、従来の外針ハブ１１も内針ハブ２１も直管状あるいはテーパ−管状であり、何ら突起も凹凸も形成されていない。
【０００８】
そのため、片手の指で外針ハブ１１あるいは内針ハブ２１を押したり引いたりしずらく、また、滑りやすく誤操作も起きやすく問題である。特に、他方の手の指によって、留置針１の外針１２の先端近くを押えながら、一方の手の指で外針ハブ１１あるいは内針ハブ２１を急いで押したり引いたりする場合が多いので、作業は困難である。また、患者等にとっては痛みが生じたり、静脈中へ留置針を刺し込むのに何度も失敗し回数がかかり問題である。
【０００９】
そこで、本発明の目的は、片手の指で外針ハブや内針ハブを押したり引いたりしやすい留置針及びカテーテル用内針を提供することである。
【課題を解決するための手段】
【００１０】
上記目的は、請求項１に記載の本発明に係る留置針、すなわち、外針ハブの両端近くに突起を有することを特徴とする留置針によって、達成される。
【００１１】
また、上記目的は、請求項２に記載の本発明に係る留置針、すなわち、外針ハブの中央近くの断面寸法が端の断面寸法に比べて小さい留置針によっても、達成される。ここで、「断面寸法」とは、円形断面では直径を意味し、四角形断面では一辺の長さを意味する。
【００１２】
さらに、上記目的は、請求項３に記載の本発明に係るカテーテル用内針、すなわち、内針ハブの両端近くに突起を有することを特徴とするカテーテル内針によっても、達成される。
【００１３】
さらにまた、上記目的は、請求項４に記載の本発明に係るカテーテル用内針、すなわち、内針ハブの中央近くの直径が端の直径に比べて小さいカテーテル内針によっても、達成される。
【発明の効果】
【００１４】
本発明に係る留置針は、外針ハブの両端近くに突起を有するので、これらの突起の間に指先を入れて外針ハブに接触して、滑ることなく容易に外針ハブを長軸方向に押したり引いたりすることができる。
【００１５】
本発明に係る留置針は、外針ハブの中央近くの断面寸法が端の断面寸法に比べて小さいので、中央に指先で接触すると両端方向ともに太くなっており、指先近くが引っかかり、滑ることなく容易に外針ハブを長軸方向に押したり引いたりすることができる。
【００１６】
本発明に係るカテーテル用内針は、内針ハブの両端近くに突起を有するので、これらの突起の間に指先を入れて内針ハブに接触して、滑ることなく容易に内針ハブを長軸方向に押したり引いたりすることができる。
【００１７】
本発明に係るカテーテル用内針は、内針ハブの中央近くの断面寸法が端の断面寸法に比べて小さいので、中央に指先で接触すると両端方向ともに太くなっており、指先近くが引っかかり、滑ることなく容易に内針ハブを長軸方向に押したり引いたりすることができる。
【発明を実施するための最良の形態】
【００１８】
以下、本発明の実施例について、添付図面を参照して、詳細に説明する。
【実施例１】
【００１９】
図１は実施例１の留置針の正面図である。外針ハブ１１の前端１１１の近くには突起１１２が設けてあり、後端１１３にはフランジ状突起１１４が全周にわたって設けてある。外針ハブの中に逆止弁がない留置針であっても逆止弁がある留置針であってもよい。
【実施例２】
【００２０】
図２は実施例２の留置針の正面図である。外針ハブ１１の断面形状は四角形であり、前端１１１の近くや後端１１３の近くでは、辺の長さが大きく、中央１１０の近くでは辺の長さがより小さい。すなわち、中央近くがくびれている。他の変更実施例として、円形を２本の平行線で切り取った樽状の断面であってもよい。内針ハブのなかに逆止弁がないカテーテル用内針であっても、逆止弁があるカテーテル用内針であってもよい。他の変更実施例として、断面を円形としてもよい。
【実施例３】
【００２１】
図３は実施例３のカテーテル用内針の正面図である。内針ハブ２１の前端２１１及び後端２１３にはフランジ状突起２１２，２１４が全周にわたって設けてある。他の変更実施例として、フランジ状突起が部分的に設けてあってもよい。内針ハブの中に逆止弁がないカテーテル用内針であっても、逆止弁があるカテーテル用内針であってもよい。他の変更実施例として、断面形状が正方形であっても長方形であってもよい。
【実施例４】
【００２２】
図４は実施例４のカテーテル用内針の正面図である。内針ハブ２１の断面形状は円形であり、前端２１１の近くや後端２１３の近くでは、直径が大きく、中央２１０の近くでは直径がより小さい。すなわち、中央近くがくびれている。
【００２３】
他の変更実施例としては、外針ハブ１１や内針ハブ２１の表面に凹凸を形成したり、ゴムを取り付けて、指が滑るのを防止してもよい。
【図面の簡単な説明】
【００２４】
【図１】実施例１の留置針の正面図である。
【図２】実施例２の留置針の正面図である。
【図３】実施例３のカテーテル用内針の正面図である。
【図４】実施例４のカテーテル用内針の正面図である。
【図５】従来のカテーテルの構造を示す組立図である。
【符号の説明】
【００２５】
１  留置針
１１  外針ハブ
１１０  中央
１１１  前端
１１２  突起
１１３  後端
１１４  フランジ状突起
１２  外針
１３  カシメキャップ
２  カテーテル用内針
２１  内針ハブ
２１０  中央
２１１  前端
２１２  フランジ状突起
２１３  後端
２１４  フランジ状突起
２２  内針
【図１】
2005080962.tif 000003
【図２】
2005080962.tif 000004
【図３】
2005080962.tif 000005
【図４】
2005080962.tif 000006
【図５】
2005080962.tif 000007